(57)【要約】【課題】手で搖桿を動かすだけで、出口から液体が出てくるので、使用しやすく、且つ美観に優れた液体ボトル構造を提供する。【解決手段】液体ボトル構造は、容器体１０、底台３、基台４、套管５、鋼鉄玉５１、吸入管５２、内管６、逆止バルブ６３、支持桿６４、連接管６８、搖桿７、蓋体８及び内蓋８２から構成される。搖桿７を上下に動かすことによって、容器体１０内の液体が吸入管５２から套管５内に至り、そして内管６の通孔６１から凹孔６０へ通じ、支持桿６４の穿孔６５から連接管６８へ流れ、搖桿７の通路７３から出口７４へ流出する。使用者は、手を搖桿７の外端部の出口７４へ置き、液体を取り出す。【選択図】図２
0003109593.tif 000002
【実用新案登録請求の範囲】
【請求項１】
容器体、底台、基台、套管、内管、搖桿、蓋体から構成された液体ボトル構造において、
内容物空間を具え、外部に外ネジ紋が成形された容器体と、
容器体の底部に設置し、側面壁には嵌合孔が貫設され、連結部品を嵌合孔内に入れる底台と、
容器体上に設置し、上部には凹室を具え、その凹室の底部に透孔が貫設され、また上部には固定凸耳が成形され、その固定凸耳には穿孔が貫設され、底部の内面に内ネジ紋が成形され、最上面には最上柱が設置される基台と、
基台の凹室底部に設置し、納置空間を具え、その納置空間内に鋼鉄玉が設置され、底部には吸入管を設置する套管と
基台の凹室内に設置し、凹孔が成形され、底部近くに設置された通孔と凹孔は連通し、底部には複数個の欠切口が成形され、上方には支持桿が設置され、その支持桿内には穿孔が貫設され、支持桿上には定位台が設置され、定位台の両側には凸体が設置され、支持桿上には連接管が設置される内管と、
基台上に設置され、一端は枢設台に設置され、枢設台の両側壁には凸体が設置され、枢設台の内壁面に滑動槽が成形され、搖桿内には通路が成形され、別端には出口が成形される搖桿と、
基台を蓋し、上面には透孔が貫設され、内面には内蓋が設置され、内蓋上には欠切口が成形され、透孔上にはカバーリングが設置される蓋体から構成されることを特徴とする液体ボトル構造。
【考案の詳細な説明】
【技術分野】
【０００１】
本考案は、液体ボトル構造に関するもので、手で搖桿を動かすだけで、出口から液体が出てくるので、使用しやすく、且つ美観に優れたものである。
【背景技術】
【０００２】
公知のボトル体は上方にプッシュヘッドが設置され、液体をボトル体から取り出して使用する。一般的なボトル体のプッシュヘッド構造は、図１に示すとおり、容器体１０上に螺合台１１が設置され、その螺合台１１内に套管１２が設置される。套管１２内は、鋼鉄玉１３、バネ１４、内管１５及び押圧管１６の順に組み立てられる。この押圧管１６上方には押圧口１７が設置され、内管１５の壁面上には透孔１５０が貫設される。押圧口１７を押すと、押圧管１６及び内管１５が下に押され、バネ１４が縮み、押圧口１７を押すのを緩めると、バネ１４の弾性によって内管１５、押圧管１６及び押圧口１７が上昇する。押圧口１７を押したとき、容器体１０内の液体が吸い取られ、押圧口１７から流れ出る。しかしながら、公知の液体ボトルは、一般にボトル体１０上方が突出して押圧口が設置されるので、液体ボトルの全体的な造形は、大きな変化を持たせることができず、大抵はよくあるボトル体と突き出した押圧口の組み合わせになり、美観は得られない。且つ、液体ボトル内部のバネ１４の弾性が失われると、液体を吸い取る効果が失われる。
【特許文献１】特開２００４−６６２３１号公報
【考案の開示】
【考案が解決しようとする課題】
【０００３】
解決しようとする問題点は、公知の構造では造形に変化を与えることができず、美観を高めることができない点であり、且つ内部のバネ弾性が弱まると、液体を吸い取る力がなくなることである。
【課題を解決するための手段】
【０００４】
本考案は、容器体、底台、基台、套管、鋼鉄玉、吸入管、内管、逆止バルブ、支持桿、連接管、搖桿、蓋体及び内蓋から構成される。搖桿を上下に動かすことによって、容器体内の液体が吸入管から套管内に至り、そして内管の通孔から凹孔へ通じ、支持桿の穿孔から連接管へ流れ、搖桿の通路から出口へ流出する。使用者は、手を搖桿の外端部の出口へ置き、液体を取り出すことを最も主要な特徴とする。
【考案の効果】
【０００５】
本考案の液体ボトル構造は、下述の利点がある。
本考案は搖桿を上下に動かすことによって、ボトル体内の液体を吸引し、搖桿外端の出口から流出するため、便利である。
本考案は、連接部品で底台を連結することによって、多数個の液体ボトルを配列して定位し、便利であり、且つ全体が場所を取らない。
本考案は、全体のデザインが美しく美観が高まる。
【考案を実施するための最良の形態】
【０００６】
図２、４に示すとおり、本考案は、容器体２に内容物空間２０が形成され、その容器体２外部には外ネジ紋２１が成形され、また容器体２の底部両側壁には嵌合体２２が設置される。
底台３は、容器体２の底部に設置する。底台３には通孔３０が貫設され、この通孔３０周辺縁には二つの嵌合槽３１が成形され、底台３の側壁には嵌合孔３２が成形される。連接部品３３はこの嵌合孔３２内に嵌合する。
基台４は、容器体２上に設置する。その基台４上には凹室４０が成形され、その凹室４０底部は複数個の透孔４１が貫設される。基台４上には二つの固定凸耳４２が設置される。この固定凸耳４２上には穿孔４３が設置され、基台４の最上面には別に最上柱４４が設置され、基台４の内面には内ネジ紋４５が成形される。
套管５は、基台４の凹室４０底部に設置する。套管５には納置空間５０が形成され、その納置空間５０内に鋼鉄玉５１を入れる。套管５の底部に吸入管５２を設置する。
内管６は、基台４の凹室４０内に設置する。内管６には凹孔６０が成形され、内管６近く底部には通孔６１が設置され、凹孔６０と連通する。内管６の底部には複数個の欠切口６２が成形され、逆止バルブ６３を内管６内に入れる。支持桿６４は内管６上に設置し、その支持桿６４内には穿孔６５が成形される。この支持桿６４上には定位台６６が設置され、定位台６６の両側に凸体６７が設置される。連接管６８は、支持桿６４上に設置する。
搖桿７は、基台４の上方に設置する。この搖桿７の一端に枢設台７０が設置され、その枢設台７０の両側壁面に凸体７１が成形される。また枢設台７０の内壁面には滑動槽７２が成形され、搖桿７内には通路７３が形成される。搖桿７の別端底部には出口７４が設置される。
蓋体８は、基台４上に被せる。蓋体８上には透孔８０が成形され、その透孔８０にカバーリング８１を設置する。内蓋８２は蓋体８内面に設置し、内蓋８２上に欠切口８３を成形する。
【０００７】
組立時、図２，３，４に示すとおり、先ず鋼鉄玉５１を套管５の納置空間５０内に入れ、別に吸入管５２を套管５下方に接続する。続いて套管５を基台４の凹室４０底部に入れる。更に内管６を基台４の凹室４０に設置して逆止バルブ６３を内管６上に設置し、基台４の凹室４０内に挿入する。そして支持桿６４を内管６上端に組み入れ、連接管６８の一端を支持桿６４の穿孔６５に入れる。支持桿６４の定位台６６両側の凸体６７は、搖桿７の滑動槽７２内入れ、更に搖桿７０の凸体７１を固定凸耳４２の穿孔４３内に嵌合し、搖桿７の枢設台７０を基台に枢設する。また連接管６８の別一端は搖桿７の通路７３端部に接続し、カバーリング８１を蓋体８の透孔８０上に被せ、内蓋８２を蓋体８内面に設置する。その欠切口８３を蓋体８の透孔８０に合わせ、蓋体８を基台４上に被せる。搖桿７の一端は、内蓋８２の欠切口８３と蓋体８の透孔８０から出る。また内蓋８２は基台４の最上柱４４が蓋体８内面で支え、基台４の内ネジ紋４５と容器体２の外ネジ紋２１が相互に螺合される。基台４を容器体２上に合わせ、底台３を容器体２底部に合わせると、組立が完成する。
【０００８】
使用時、図４，５に示すとおり、使用者は手で搖桿７を上下に動かすと、枢設台７０の凸体７１が支軸となり、搖桿７の外端が上下に動く。搖桿７が上向きの時(図５参照)、搖桿７は内蓋８２を上に押し上げ、搖桿７が支持桿６４及び内管６を上に向かって移動させる。また内管６の通孔６１は逆止バルブ６３によって封鎖され、内管６の作動が基台４の凹室４０内に吸引力を起こし、容器体２内容物空間２０内の液体(例としてシャンプー、リンス、液体石鹸等)を吸入管５２から上に吸い上げ、鋼鉄玉５１を上に押し上げ、液体は套管５の納置空間５０内まで吸い上げられる。そして基台４の透孔４１から基台４の凹室４０内へ入る。搖桿７が下へ押された時(図４参照)、蓋体８内面の内蓋８２は搖桿７が下へ降りるのに伴って、下へ移動し、上方の透孔８０を遮断する。搖桿７は支持桿６４及び内管６に連動して下へ移動し、内管６の通孔６１は逆止バルブ６３が外れ、同時に鋼鉄玉５１が下がって套管５の納置空間５０を封鎖し、套管５の納置空間５０まで引上げられ、基台４の凹室４０にある液体は、内管６下方の欠切口６２から浸入し、通孔６１から凹孔６０内へ進み、支持桿６４の穿孔６５及び連接管６８から搖桿７の通路７３内へ進み、最後に出口７４から液体が押されて出るので、手を出口７４の下に置いて、出てきた液体を受ける。
多数個の液体ボトルを組み合わせて一緒にする場合、図６,７に示すとおり、連接部品３３を液体ボトルに隣合う底台３の嵌合孔３２内に嵌合し、二つの液体ボトルを連結し、各液体ボトルには、異なる液体、例としてシャンプー、リンス、沐浴液、ハンドソープ液等を入れて使用する。それによって、大きさの異なるボトルを置く空間が整理される上、本考案の液体ボトルは、液体のポンプ構造が収納式で隠れ、外観が整い、美観が向上する。
【図面の簡単な説明】
【０００９】
【図１】公知液体ボトルの組立断面図である。
【図２】本考案の立体分解図である。
【図３】本考案の立体組立図である。
【図４】本考案の組立断面図である（搖桿を下へ動かした指示図である）。
【図５】本考案の搖桿を上へ動かした使用指示図である。
【図６】本考案の多数子の容器体を連結した使用指示図である。
【図７】本考案の液体ボトル連結の部分断面図である。
【符号の説明】
【００１０】
１０        容器体
１１        螺合台
１２        套管
１３        鋼鉄玉
１４        バネ
１５        内管
１５０        透孔
１６        押圧管
１７        押圧ヘッド
２        容器体
２０        内容物空間
２１        外ネジ紋
２２        嵌合体
３        底台
３０        通孔
３１        嵌合槽
３２        嵌合孔
３３        連結部品
４        基台
４０        凹室
４１        透孔
４２        固定凸耳
４３        穿孔
４４        最上柱
４５        内ネジ紋
５        套管
５０        納置空間
５１        鋼鉄玉
５２        吸入管
６        内管
６０        凹孔
６１        通孔
６２        欠切口
６３        逆止バルブ
６４        支持桿
６５        穿孔
６６        定位台
６７        凸体
６８        連接管
７        搖桿
７０        枢設台
７１        凸体
７２        滑動槽
７３        通路
７４        出口
８        蓋体
８０        透孔
８１        カバーリング
８２        内蓋
８３        欠切口
【図１】
0003109593.tif 000003
【図２】
0003109593.tif 000004
【図３】
0003109593.tif 000005
【図４】
0003109593.tif 000006
【図５】
0003109593.tif 000007
【図６】
0003109593.tif 000008
【図７】
0003109593.tif 000009